(57)【要約】【課題】ネットワークの設定に要する作業負荷を軽減する。【解決手段】一実施形態に係るネットワーク管理装置は、プロセッサと、ネットワークの情報オブジェクトの実体を表す第１のエンティティを記憶する第１の記憶部と、前記情報オブジェクトの仕様を記憶する第２の記憶部とを有し、前記プロセッサは、前記第１の記憶部に記憶された第１のエンティティに基づいて、前記ネットワークの所定の始点と終点との間の物理レイヤの経路を選択する経路選択処理を行ない、前記第２の記憶部に記憶された仕様に基づいて、前記経路選択処理により選択された物理レイヤの経路に対応する、論理レイヤの第２のエンティティを生成するエンティティ生成処理を行なう、ように構成される。【選択図】図１
2020137059.tif 000002
【特許請求の範囲】
【請求項１】
プロセッサと、ネットワークの情報オブジェクトの実体を表す第１のエンティティを記憶する第１の記憶部と、前記情報オブジェクトの仕様を記憶する第２の記憶部とを有し、
前記プロセッサは、
前記第１の記憶部に記憶された第１のエンティティに基づいて、前記ネットワークの所定の始点と終点との間の物理レイヤの経路を選択する経路選択処理を行ない、
前記第２の記憶部に記憶された仕様に基づいて、前記経路選択処理により選択された物理レイヤの経路に対応する、論理レイヤの第２のエンティティを生成するエンティティ生成処理を行なう、ように構成される、
ネットワーク管理装置。
【請求項２】
前記第２の記憶部は、
前記物理レイヤおよび最下層の論理レイヤとの間の関係性、および前記最下層を含む複数の層の論理レイヤ間の関係性を定義する情報を、前記情報オブジェクトの仕様として記憶し、
前記プロセッサは、
前記エンティティ生成処理として、
前記経路選択処理により選択された経路における物理レイヤの上位レイヤとして定義される、最下層の論理レイヤの仕様を前記第２の記憶部から取得し、
前記最下層の論理レイヤの上位レイヤとして定義される論理レイヤの仕様を前記第２の記憶部から取得し、
前記取得された仕様に基づいて、前記経路選択処理より選択された物理レイヤの経路に対応する、各層の論理レイヤの第２のエンティティを生成する、ように構成される、
請求項１に記載のネットワーク管理装置。
【請求項３】
前記プロセッサは、
前記エンティティ生成処理として、
前記経路選択処理より選択された物理レイヤの経路に対応する論理レイヤの第２のエンティティを生成するときに、同じ層又は１つ下位の層のレイヤにおける第３のエンティティとの関係性を保持し、
前記保持される関係性に基づいて、前記経路選択処理より選択された物理レイヤの経路に対応する、各層の論理レイヤの第２のエンティティを生成する、ように構成される、
請求項１に記載のネットワーク管理装置。
【請求項４】
プロセッサと、ネットワークの情報オブジェクトの実体を表す第１のエンティティを記憶する第１の記憶装置と、前記情報オブジェクトの仕様を記憶する第２の記憶装置とを具備するネットワーク管理装置が行なうネットワーク管理方法であって、
前記プロセッサは、前記第１の記憶装置に記憶された第１のエンティティに基づいて、前記ネットワークの所定の始点と終点との間の物理レイヤの経路を選択する経路選択処理を行ない、
前記プロセッサは、前記第２の記憶装置に記憶された仕様に基づいて、前記経路選択処理により選択された物理レイヤの経路に対応する、論理レイヤの第２のエンティティを生成するエンティティ生成処理を行なう、
ネットワーク管理方法。
【請求項５】
前記第２の記憶装置は、
前記物理レイヤおよび最下層の論理レイヤとの間の関係性、および前記最下層を含む複数の層の論理レイヤ間の関係性を定義する情報を、前記情報オブジェクトの仕様として記憶し、
前記プロセッサは、
前記エンティティ生成処理として、
前記経路選択処理により選択された経路における物理レイヤの上位レイヤとして定義される、最下層の論理レイヤの仕様を前記第２の記憶装置から取得し、
前記最下層の論理レイヤの上位レイヤとして定義される論理レイヤの仕様を前記第２の記憶装置から取得し、
前記取得された仕様に基づいて、前記経路選択処理より選択された物理レイヤの経路に対応する、各層の論理レイヤの第２のエンティティを生成する、
請求項４に記載のネットワーク管理方法。
【請求項６】
前記プロセッサは、
前記エンティティ生成処理として、
前記経路選択処理より選択された物理レイヤの経路に対応する論理レイヤの第２のエンティティを生成するときに、同じ層又は１つ下位の層のレイヤにおける第３のエンティティとの関係性を保持し、
前記保持される関係性に基づいて、前記経路選択処理より選択された物理レイヤの経路に対応する、各層の論理レイヤの第２のエンティティを生成する、
請求項４に記載のネットワーク管理方法。
【請求項７】
請求項１乃至３のいずれか１項に記載のネットワーク管理装置の前記各処理として前記プロセッサを機能させるネットワーク管理処理プログラム。
【発明の詳細な説明】
【技術分野】
【０００１】
本発明の実施形態は、ネットワーク管理装置、方法及びプログラムに関する。
【背景技術】
【０００２】
ネットワーク(NW)を構成するネットワーク装置を管理し、ユーザからのオーダに応じて装置への設定作業を実施するネットワークオペレーション業務において、複数の装置への煩雑な設定作業を自動化するためのネットワーク管理システムが用いられている。ネットワーク管理システムは管理対象のネットワーク/装置に合わせて管理情報を保持するための、ネットワーク情報管理機能を有している。
【０００３】
しかし、従来のネットワーク管理システムは、ネットワーク/装置に特化した管理機能を持つため、ネットワーク装置の機種、ネットワーク方式の変更を行なうたびに、ネットワーク管理システムを開発することが必要であった。
【０００４】
そこで、管理対象ネットワークの機種を変更したり、通信方式を変更したりする場合に、管理対象ネットワーク毎にネットワーク管理システムを開発し直す必要がないシステムアーキテクチャがある（例えば非特許文献１を参照）。
【先行技術文献】
【非特許文献】
【０００５】
【非特許文献１】佐藤正崇、明石和陽、堀内信吾、小谷忠司、「多様なNWへ適応可能なNW管理アーキテクチャの検討」、信学技報116(324), 37-42, 2016-11-24
【発明の概要】
【発明が解決しようとする課題】
【０００６】
非特許文献１に記載されたアーキテクチャは、管理対象ネットワークに依存しない汎用的なデータの保持を可能とする仕組みを持っており、管理対象に合わせて複数のネットワーク管理情報（エンティティ（実体））を生成する。しかし、異なるネットワーク方式（通信プロトコル）を使ったネットワークを管理する場合、又は多数の装置を管理する場合は、エンティティの生成量が多くなり、ネットワークオペレータ（以下、単にオペレータと称することがある）の作業負荷が大きくなってしまう。
【０００７】
また、管理対象ネットワーク上に、ネットワーク利用ユーザの利用要望を満たす多数の経路が存在する場合、どの経路を使用するのかをオペレータが選択する必要があり、その結果作業負荷がさらに大きくなる。
【０００８】
この発明は、上記事情に着目してなされたもので、その目的とするところは、ネットワークの設定に要する作業負荷を軽減することができるようにしたネットワーク管理装置、方法およびプログラムを提供することにある。
【課題を解決するための手段】
【０００９】
上記目的を達成するために、この発明の一実施形態に係るネットワーク管理装置の第１の態様は、ネットワーク管理装置が、プロセッサと、ネットワークの情報オブジェクトの実体を表す第１のエンティティを記憶する第１の記憶部と、前記情報オブジェクトの仕様を記憶する第２の記憶部とを有し、前記プロセッサは、前記第１の記憶部に記憶された第１のエンティティに基づいて、前記ネットワークの所定の始点と終点との間の物理レイヤの経路を選択する経路選択処理を行ない、前記第２の記憶部に記憶された仕様に基づいて、前記経路選択処理により選択された物理レイヤの経路に対応する、論理レイヤの第２のエンティティを生成するエンティティ生成処理を行なう、ようにしたものである。
【００１０】
この発明のネットワーク管理装置の第２の態様は、第１の態様において、前記第２の記憶部は、前記物理レイヤおよび最下層の論理レイヤとの間の関係性、および前記最下層を含む複数の層の論理レイヤ間の関係性を定義する情報を、前記情報オブジェクトの仕様として記憶し、前記プロセッサは、前記エンティティ生成処理として、前記経路選択処理により選択された経路における物理レイヤの上位レイヤとして定義される、最下層の論理レイヤの仕様を前記第２の記憶部から取得し、前記最下層の論理レイヤの上位レイヤとして定義される論理レイヤの仕様を前記第２の記憶部から取得し、前記取得された仕様に基づいて、前記経路選択処理より選択された物理レイヤの経路に対応する、各層の論理レイヤの第２のエンティティを生成する、ようにしたものである。
【００１１】
この発明のネットワーク管理装置の第３の態様は、第１の態様において、前記プロセッサは、前記エンティティ生成処理として、前記経路選択処理より選択された物理レイヤの経路に対応する論理レイヤの第２のエンティティを生成するときに、同じ層又は１つ下位の層のレイヤにおける第３のエンティティとの関係性を保持し、前記保持される関係性に基づいて、前記経路選択処理より選択された物理レイヤの経路に対応する、各層の論理レイヤの第２のエンティティを生成する、ようにしたものである。
【００１２】
本発明の一実施形態に係る、ネットワーク管理装置が行なうネットワーク管理方法の第１の態様は、プロセッサと、ネットワークの情報オブジェクトの実体を表す第１のエンティティを記憶する第１の記憶装置と、前記情報オブジェクトの仕様を記憶する第２の記憶装置とを具備するネットワーク管理装置が行なうネットワーク管理方法であって、前記プロセッサは、前記第１の記憶装置に記憶された第１のエンティティに基づいて、前記ネットワークの所定の始点と終点との間の物理レイヤの経路を選択する経路選択処理を行ない、前記プロセッサは、前記第２の記憶装置に記憶された仕様に基づいて、前記経路選択処理により選択された物理レイヤの経路に対応する、論理レイヤの第２のエンティティを生成するエンティティ生成処理を行なう、ようにしたものである。
【００１３】
この発明のネットワーク管理方法の第２の態様は、第１の態様において、前記第２の記憶装置は、前記物理レイヤおよび最下層の論理レイヤとの間の関係性、および前記最下層を含む複数の層の論理レイヤ間の関係性を定義する情報を、前記情報オブジェクトの仕様として記憶し、前記プロセッサは、前記エンティティ生成処理として、前記経路選択処理により選択された経路における物理レイヤの上位レイヤとして定義される、最下層の論理レイヤの仕様を前記第２の記憶装置から取得し、前記最下層の論理レイヤの上位レイヤとして定義される論理レイヤの仕様を前記第２の記憶装置から取得し、前記取得された仕様に基づいて、前記経路選択処理より選択された物理レイヤの経路に対応する、各層の論理レイヤの第２のエンティティを生成する、ようにしたものである。
【００１４】
この発明のネットワーク管理方法の第３の態様は、第１の態様において、前記プロセッサは、前記エンティティ生成処理として、前記経路選択処理より選択された物理レイヤの経路に対応する論理レイヤの第２のエンティティを生成するときに、同じ層又は１つ下位の層のレイヤにおける第３のエンティティとの関係性を保持し、前記保持される関係性に基づいて、前記経路選択処理より選択された物理レイヤの経路に対応する、各層の論理レイヤの第２のエンティティを生成する、ようにしたものである。
【００１５】
本発明の一実施形態に係るネットワーク管理処理プログラムの一つの態様は、第１乃至第３の態様のいずれか１つにおけるネットワーク管理装置の前記各処理として前記プロセッサを機能させるものである。
【発明の効果】
【００１６】
この発明の一実施形態に係るネットワーク管理装置の第１の態様によれば、エンティティに基づいて、ネットワークの所定の始点と終点との間の物理レイヤの経路を選択する経路選択処理を行ない、情報オブジェクトの仕様に基づいて、選択された物理レイヤの経路に対応する、論理レイヤのエンティティを生成するので、論理レイヤのエンティティの設定にかかる負荷を軽減することができる。
【００１７】
この発明の一実施形態に係るネットワーク管理装置の第２の態様によれば、物理レイヤおよび最下層の論理レイヤとの間の関係性、および前記最下層を含む複数の層の論理レイヤの間の関係性がそれぞれ定義され、この関係性に基づいて、経路における物理レイヤに対応する各層の論理レイヤ仕様を取得するので、エンティティの生成対象である各層の論理レイヤの仕様を適切に取得することができる。
【００１８】
この発明の一実施形態に係るネットワーク管理装置の第３の態様によれば、物理レイヤの経路に対応する論理レイヤのエンティティを生成するときに、同じ層又は１つ下位の層のレイヤにおけるエンティティとの関係性を保持し、この関係性に基づいて、物理レイヤの経路に対応する、各層の論理レイヤのエンティティを生成するので、物理レイヤに対応する、各層の論理レイヤのエンティティを適切に生成することができる。
【００１９】
すなわち、本発明の各態様によれば、ネットワークの設定に要する作業負荷を軽減することが可能になる。
【図面の簡単な説明】
【００２０】
【図１】図１は、ネットワーク管理システムの一例を示す図である。
【図２】図２は、ネットワーク管理装置に適用されるネットワーク構成のモデリングの一例を表形式で示す図である。
【図３】図３は、ネットワーク管理システムに対する対象ネットワークの情報の生成の一例を示す図である。
【図４】図４は、本発明の一実施形態に係るネットワーク管理システムの適用例を示す図である。
【図５】図５は、本発明の一実施形態に係るネットワーク管理システムにより生成されるエンティティの一例を説明する図である。
【図６】図６は、本発明の一実施形態に係るネットワーク管理システムの実施手順の一例を示す図である。
【図７】図７は、本発明の一実施形態に係るネットワーク管理システムの実施手順の一例を示す図である。
【図８】図８は、本発明の一実施形態に係るネットワーク管理システムの経路選択部による実施手順の一例を示す図である。
【図９】図９は、本発明の一実施形態に係るネットワーク管理システムのエンティティ補完部によるSpec取得に係る処理手順の一例を示すフローチャートである。
【図１０】図１０は、本発明の一実施形態に係るネットワーク管理システムのエンティティ補完部によるSpec取得に係る処理の概要を示す図である。
【図１１】図１１は、本発明の一実施形態に係るネットワーク管理システムのエンティティ補完部による論理エンティティ生成に係る処理手順の一例を示すフローチャートである。
【図１２】図１２は、登録されるSpecの表記、意味の一例を表形式で示す図である。
【図１３】図１３は、登録されるSpecの表記、意味の一例を表形式で示す図である。
【図１４】図１４は、登録されたSpecにおける関係性の一例を表形式で示す図である。
【図１５】図１５は、物理エンティティの登録の一例を示す図である。
【図１６】図１６は、物理エンティティの登録の一例を示す図である。
【図１７】図１７は、物理エンティティの登録の一例を示す図である。
【図１８】図１８は、始点・終点情報の指定の一例を説明する図である。
【図１９】図１９は、経路入力の一例を示す図である。
【図２０】図２０は、Logical DeviceレイヤのTPEの生成の一例を示す図である。
【図２１】図２１は、Logical DeviceレイヤのTPEの生成の一例を示す図である。
【図２２】図２２は、Logical DeviceレイヤのTLの生成の一例を示す図である。
【図２３】図２３は、Logical DeviceレイヤのTLの生成の一例を示す図である。
【図２４】図２４は、Logical DeviceレイヤのNFDの生成の一例を示す図である。
【図２５】図２５は、Logical DeviceレイヤのNFDの生成の一例を示す図である。
【図２６】図２６は、論理レイヤのTPEの生成の一例を示す図である。
【図２７】図２７は、論理レイヤのTPEの生成の一例を示す図である。
【図２８】図２８は、論理レイヤのFRE(LC)の生成の一例を示す図である。
【図２９】図２９は、論理レイヤのFRE(LC)の生成の一例を示す図である。
【図３０】図３０は、論理レイヤのFRE(XC)の生成の一例を示す図である。
【図３１】図３１は、論理レイヤのFRE(XC)の生成の一例を示す図である。
【図３２】図３２は、論理レイヤのFRE(NC)の生成の一例を示す図である。
【図３３】図３３は、論理レイヤのFRE(NC)の生成の一例を示す図である。
【図３４】図３４は、論理レイヤのTPEの生成の一例を示す図である。
【図３５】図３５は、論理レイヤのTPEの生成の一例を示す図である。
【図３６】図３６は、論理レイヤのFRE(LC)の生成の一例を示す図である。
【図３７】図３７は、論理レイヤのFRE(LC)の生成の一例を示す図である。
【図３８】図３８は、論理レイヤのFRE(XC)の生成の一例を示す図である。
【図３９】図３９は、論理レイヤのFRE(XC)の生成の一例を示す図である。
【図４０】図４０は、論理レイヤのFRE(NC)の生成の一例を示す図である。
【図４１】図４１は、論理レイヤのFRE(NC)の生成の一例を示す図である。
【図４２】図４２は、ネットワーク管理システムによる各種処理の実施後のネットワークの状態の一例を示す図である。
【発明を実施するための形態】
【００２１】
以下、図面を参照しながら、この発明に係わる一実施形態を説明する。  
図１は、ネットワーク管理システムの一例を示す図である。  
ここで、従来技術における課題について説明する。  
図１に示すように、ネットワーク管理システム（ネットワーク管理装置）による管理対象ネットワークが、６台のEthernet（登録商標） Switch（以下、単にSwitchと称することがある）であるSwitch1、Switch2、Switch3、Switch4、Switch5、Switch6と、１台のIP（インターネットプロトコル） Router（以下、単にRouterと称することがある）であるRouterで構成されているものとする。
【００２２】
この管理対象ネットワークでは、２台のパーソナルコンピュータ（PC）であるPC1とPC2のうちPC1に対してSwitch2、Switch3の一端が通信可能に並列接続され、Switch2、Switch3の他端に対してRouterの一端が通信可能に接続され、Routerの他端に対しSwitch4、Switch5の一端が通信可能に並列接続され、Switch4、Switch5の他端に対してSwitch6の一端が通信可能に接続され、Switch6の他端にPC2が通信可能に接続される。
【００２３】
このネットワーク上にPC1とPC2とを通信可能に接続して利用したいユーザからの要望に対して、オペレータは、図１で示される機器で形成可能な下記の４通りの通信経路の中から１つの経路を選択して、この選択した経路に対応するネットワーク管理情報（エンティティ）をネットワーク管理システムに対して生成する作業を実施する。
【００２４】
経路（１）：PC1→Switch1→Switch2→Router→Switch4→Switch6→PC2
経路（２）：PC1→Switch1→Switch3→Router→Switch4→Switch6→PC2
経路（３）：PC1→Switch1→Switch2→Router→Switch5→Switch6→PC2
経路（４）：PC1→Switch1→Switch3→Router→Switch5→Switch6→PC2
上記のオペレータによる経路の選択、およびエンティティの生成の作業に、オペレータに負荷がかかることが課題である。
【００２５】
ネットワーク管理システムで管理するエンティティとして、以下の種類が存在する。  
物理レイヤの構成は、PD(Physical Device), PP(Physical Port), PL(Physical Link)を含むEntity（情報オブジェクト）を適用し、論理レイヤの構成はTL(Topological Link), NFD(Network Forwarding Domain),TPE(Termination Point Encapsulation), FRE(Forwarding Relationship Encapsulation)でなるEntityを適用する。FRE は、NC(Network Connection),LC(Link Connect), XC(Cross(X) Connect)を含む。このような適用により、物理レイヤおよび論理レイヤの構成を統一した形式で保持することができる。
【００２６】
ここで、NW構成(物理、論理レイヤ)のモデリングについて説明する。図２は、ネットワーク管理装置に適用されるネットワーク構成のモデリングの一例を表形式で示す図である。  
図２に示すように、物理レイヤにおけるEntity名は、PD, PP, PLに区分される。それぞれのEntity名における「Entity名：意味」の対応は下記のとおりである。  
・PD(Physical Device)：装置
・PP(Physical Port)：装置が持つ通信ポート
・PL(Physical Link)：装置間の接続ケーブル
【００２７】
図２に示すように、論理レイヤにおけるEntity名は、TL, NFD, TPE, FRE(NC, LC, XC)に区分される。それぞれのEntity名における「Entity名：意味」の対応は下記のとおりである。  
・TL(Topological Link)：装置間の接続性
・NFD(Network Forwarding Domain)：装置内の転送可能な範囲
・TPE(Termination Point Encapsulation)：通信の終端点
・FRE(Forwarding Relationship Encapsulation)のNC(Network Connection)：TPE間のLC、XCによって形成されるEnd-Endの接続性
・FREのLC(Link Connect)：TPEで終端される装置間の接続性
・FREのXC(Cross Connect)：TPEで終端される装置内の接続性
【００２８】
図３は、ネットワーク管理システムに対する対象ネットワークの情報の生成の一例を示す図である。  
図３に示すように、オペレータによる選択により（図３中のａ）管理対象ネットワークに上記の経路（１）「PC1→Switch1→Switch2→Router→Switch4→Switch6→PC2」を割り当てた（図３中のｂ）ネットワーク管理情報をネットワーク管理システムで保持する場合、下記のようにエンティティの総数は９０個であるので、この数に応じた合計９０回の生成指示（図３中のｃ）をオペレータが実施する必要がある。  
（物理情報：物理レイヤ）PD：９個、PP：２０個、PL：５個
（論理情報のIPレイヤ、Ethernetレイヤ、およびLogical Deviceレイヤ（LDレイヤと呼ぶこともある）：論理レイヤ）TL：６個、NFD：６個、TPE：２８個、FRE(NC)：３個、FRE(LC)：８個、FRE(XC)：５個
このように経路選択とエンティティ作成のための負荷が膨大になることがある。論理レイヤは、IPレイヤ、Ethernetレイヤ、Logical Deviceレイヤの順で連なる複数の層でなり、IPレイヤは論理レイヤ最上層に対応し、Logical Deviceレイヤは論理レイヤ最下層に対応する。論理レイヤ最下層は、物理レイヤの上位レイヤとして定義される。
【００２９】
図４は、本発明の一実施形態に係るネットワーク管理システムの適用例を示す図である。  
図４に示した例では、本発明の一実施形態では、ネットワーク管理システム１０は、経路選択部１１、Entity DB（データベース）１２、エンティティ補完部１３、Spec（Specification（仕様）） DB１４を有する。これらに係る処理の詳細は後述する。
【００３０】
経路選択部１１は、管理対象ネットワークにおける経路を選択する。Entity DB１２は、情報オブジェクトであるエンティティに係る情報を格納する。エンティティ補完部１３は、Entity DB１２に格納されるエンティティを補完して生成する。Spec DB１４は、情報オブジェクトの仕様に情報を格納する。  
ネットワーク管理システム１０の経路選択部１１、Entity DB１２、エンティティ補完部１３、Spec DB１４の機能は、プログラムを実行するＣＰＵ（Central Processing Unit）等のプロセッサ、キーボードなどの入力装置、ディスプレイなどの出力装置、およびＲＡＭ（Random Access Memory）、ＲＯＭ（Read Only Memory）等の記憶媒体を含むコンピュータなどを用いて実現される。各部の動作については後述する。
【００３１】
なお、ネットワーク管理システム１０はハードウェアで構成することもできるが、後述するフローチャートに示された手順を備えるプログラムを、媒体もしくは通信回線を介して周知のコンピュータにインストールして、このコンピュータとEntity DB１２、Spec DB１４との組み合わせ、又はEntity DB１２、Spec DB１４を有するコンピュータなどによっても実現可能である。
【００３２】
ネットワーク管理システム１０は、管理対象ネットワークに係るオペレータの作業を軽減し、少ない作業で経路選択後のエンティティの生成・保持を可能とする。  
オペレータは、（１）「物理ネットワークに対応する物理エンティティの生成指示」と、（２）「ユーザ要望に基づき開通させるネットワークの始点と終点の指定」のための操作をそれぞれ行なうこととする。経路の選択と、不足するエンティティの補完とは、経路選択部１１、エンティティ補完部１３により自動的にそれぞれ実行される。  
本発明の一実施形態により、オペレータによる、エンティティ生成に係る作業を減らすことが可能となる。
【００３３】
図５は、本発明の一実施形態に係るネットワーク管理システムにより生成されるエンティティの一例を説明する図である。  
例えば、図３に示した例では、計９０個のエンティティの生成に係る作業が必要である。これに対し、図５に示した例では、本発明の一実施形態により、同じ条件のネットワークにおいて、論理情報のIPレイヤ、Ethernetレイヤ、およびLogical Deviceレイヤの上記計５６個のエンティティはエンティティ補完部１３によって生成される。よって、オペレータによる、これらのエンティティの生成作業が不要となるため、オペレータは、は物理情報における上記３４個のエンティティの生成に係る操作を行えばよい。
【００３４】
次に、本発明の一実施形態による実施手順の全体の例を説明する。  
（事前準備）
図６および図７は、本発明の一実施形態に係るネットワーク管理システムの実施手順の一例を示す図である。  
（１）  オペレータは、入力操作により、ネットワーク管理システム１０のSpec DB１４に対して、ネットワークを規定する仕様（Specification）を登録することができる。
【００３５】
（２）  オペレータは、入力操作により、ネットワーク管理システム１０において、物理レイヤのエンティティ（物理エンティティと称することもある）を生成してEntity DB１２に格納することができる。
【００３６】
（ネットワーク経路選択・ネットワークエンティティ生成）
（１）  オペレータは、ユーザからのリクエストに基づき、開通するネットワークの始点・終点情報(Physical Port/PP)を経路選択部１１に入力する。図７に示した例では、始点をPC1として、終点をPC2とすることができる。
【００３７】
（２）  経路選択部１１は、始点情報のPPから物理情報上のPhysical Link(PL）、Physical Device(PD)の接続関係をたどり、終点情報のPPに至るまでの経路を選択する。  
（３）  経路選択部１１は、選択した経路に対応するPP/PL/PDをエンティティ補完部１３に入力する。  
（４）  エンティティ補完部１３は、Spec DB１４からSpecを取得する。  
（５）  エンティティ補完部１３は、取得したSpecを用いて、上記入力されたPP/PL/PDに対応する論理レイヤのエンティティ（論理エンティティと称することもある）を生成する。
【００３８】
次に、本発明の一実施形態による実施手順の詳細の例を説明する。  
（経路選択部）
図８は、本発明の一実施形態に係るネットワーク管理システムの経路選択部による処理手順の一例を示す図である。  
経路選択部１１は、物理エンティティ同士の接続関係を辿り、始点から終点まで、ひと筆書きで辿り着ける経路を選択し、選択結果として物理エンティティ（PP/PL/PD）をEntity DB１２から取得する。
【００３９】
また、経路選択のポリシーは、最少ホップ数、帯域、遅延量などを考慮した経路探索アルゴリズムを適用できるものとする。アルゴリズム自体は既知のアルゴリズムを用いることができる。
【００４０】
次に、エンティティ補完部１３によるSpec取得に係る処理手順の詳細について説明する。図９は、本発明の一実施形態に係るネットワーク管理システムのエンティティ補完部によるSpec取得に係る処理手順の一例を示すフローチャートである。  
（概要）
エンティティ補完部１３は、経路選択部１１から入力されたPP/PL/PDに対応する論理レイヤのSpecをSpec DB１４から取得する。エンティティ補完部１３は、取得したSpecの上位・下位の関係性も合わせて内部メモリに保持する。
【００４１】
（詳細）
（１）  エンティティ補完部１３は、PPのSpecの上位レイヤとして定義されているTPEのSpecをSpec DB１４から取得する（Ｓ１１）。  
（２）  エンティティ補完部１３は、（１）で取得したTPE Specのさらに上位レイヤとして定義されているTPE Specがある場合、そのTPE SpecもSpec DB１４から繰り返し取得する（Ｓ１２）。
【００４２】
（３）  エンティティ補完部１３は、PLのSpecの上位レイヤとして定義されているTLのSpecをSpec DB１４から取得する（Ｓ１３）。  
（４）  エンティティ補完部１３は、（３）で取得したTL Specの上位レイヤとして定義されているFRE(LC)のSpecをSpec DB１４から取得する（Ｓ１４）。
【００４３】
（５）  エンティティ補完部１３は、PDのSpecの上位レイヤとして定義されているNFDのSpecをSpec DB１４から取得する（Ｓ１５）。  
（６）  エンティティ補完部１３は、（５）で取得したNFD Specの上位レイヤとして定義されているFRE(XC)のSpecをSpec DB１４から取得する（Ｓ１６）。
【００４４】
（７）  エンティティ補完部１３は、（４）で取得したFRE(LC)のSpecと（６）で取得したFRE(XC)のSpecの上位に定義されているFRE(NC)のSpecをSpec DB１４から取得する（Ｓ１７）。
【００４５】
（８）  エンティティ補完部１３は、（７）で取得したFRE(NC)のさらに上位レイヤとして定義されているFRE(LC)がある場合、そのFRE(LC)SpecをSpec DB１４から取得し、さらに上記（７）を実行する（Ｓ１８）。（７）で取得したFRE(NC)のさらに上位レイヤとして定義されているFRE(LC)が無くなったらエンティティ補完部１３は、Spec取得に係る処理を終了する。
【００４６】
次に、エンティティ補完部１３による論理エンティティ生成に係る処理手順の詳細について説明する。図１０は、本発明の一実施形態に係るネットワーク管理システムのエンティティ補完部によるSpec取得に係る処理の概要を示す図である。  
（概要）
エンティティ補完部１３は、上記取得したSpecに対応するエンティティ（TPE/TL/NFD/FRE(LC)/FRE(XC)/FRE(NC)）を生成する。  
エンティティ補完部１３は、生成するエンティティが関連する下位のエンティティに対する関連性（関係性）を内部メモリに保持する。
【００４７】
図１１は、本発明の一実施形態に係るネットワーク管理システムのエンティティ補完部による論理エンティティ生成に係る処理手順の一例を示すフローチャートである。  
（詳細）
（１）  エンティティ補完部１３は、Logical DeviceレイヤのTPEエンティティを生成する。以下、TPEと単に称することがある。生成する際には、エンティティ補完部１３は、物理エンティティPPへの関連性を保持する（Ｓ２１）。
【００４８】
（２）  エンティティ補完部１３は、Logical DeviceレイヤのTLエンティティを生成する。以下、TLと単に称することがある。生成する際には、エンティティ補完部１３は、Logical DeviceレイヤのTPEへの関連性を保持する（Ｓ２２）。
【００４９】
（３）  エンティティ補完部１３は、Logical DeviceレイヤのNFDエンティティを生成する。以下、NFDと単に称することがある。生成する際には、エンティティ補完部１３は、Logical DeviceレイヤのTPEへの関連性を保持する（Ｓ２３）。
【００５０】
エンティティ補完部１３は、下記の（４）、（５）、（６）、（７）について、下位のレイヤから順に実施する。全てのレイヤについて実施したら、エンティティ補完部１３は、（４）、（５）、（６）、（７）を終了する。
【００５１】
（４）  エンティティ補完部１３は、論理レイヤのTPEを生成する。生成する際には、エンティティ補完部１３は、下位の論理レイヤのTPEへの関連性を保持する（Ｓ２４）。
（５）  エンティティ補完部１３は、論理レイヤのFRE(LC)エンティティを生成する。以下、FRE(LC)と単に称することがある。生成する際には、エンティティ補完部１３は、該当レイヤのTPEへの関連性を保持する（Ｓ２５）。
【００５２】
（６）  エンティティ補完部１３は、論理レイヤのFRE(XC)エンティティを生成する。以下、FRE(XC)と単に称することがある。生成する際には、エンティティ補完部１３は、該当レイヤのTPEへの関連性を保持する（Ｓ２６）。  
（７）  エンティティ補完部１３は、論理レイヤのFRE(NC)エンティティを生成する。以下、FRE(NC)と単に称することがある。生成する際には、エンティティ補完部１３は、該当レイヤのTPEへの関連性を保持する（Ｓ２７）。
【００５３】
以下、図３に示したネットワークと同じネットワークを管理対象ネットワークとする業務に本発明の一実施形態を適用した例を示す。  
事前準備として、オペレータにより下記のSpecがSpec DB１４に登録される。図１２、図１３は、登録されるSpecの表記、意味の一例を表形式で示す図である。  
登録されるSpecの種類であるPP、PL、PD、TPE、TL、NFD、FRE(LC)、FRE(XC)、FRE(NC)について、「登録するSpecの表記：意味」の対応は下記の通りである。  
【００５４】
（PP）
PP_PC：PCのPP
PP_SW：SwitchのPP
PP_R：RouterのPP
（PL）
PL_PC-SW：PC〜Switch間のPL
PL_SW-SW：Switch〜Switch間のPL
PL_SW-R：Switch〜Router間のPL
（PD）
PD_PC：PCのPD
PD_SW：SwitchのPD
PD_R：RouterのPD
【００５５】
（TPE）
TPE_PC_LD：PCのLogical DeviceレイヤのTPE
TPE_PC_E：PCのEthernetレイヤのTPE
TPE_PC_IP：PCのIPレイヤのTPE
TPE_SW_LD：SwitchのLogical DeviceレイヤのTPE
TPE_SW_E：SwitchのEthernetレイヤのTPE
TPE_R_LD：RouterのLogical DeviceレイヤのTPE
TPE_R_E：RouterのEthernetレイヤのTPE
TPE_R_IP：RouterのIPレイヤのTPE
（TL）
TL_PC-SW：PC〜Switch間のTL
TL_SW-SW：Switch〜Switch間のTL
TL_SW-R：Switch〜Router間のTL
（NFD）
NFD_SW：SwitchのNFD
NFD_R：RouterのNFD
【００５６】
（FRE(LC)）
FRELC_PC-SW_E：PC〜Switch間のEthernetレイヤのFRE(LC)
FRELC_SW-SW_E：Switch〜Switch間のEthernetレイヤのFRE(LC)
FRELC_SW-R_E：Switch〜Router間のEthernetレイヤのFRE(LC)
FRELC_PC-R_IP：PC〜Router間のIPレイヤのFRE(LC)
（FRE(XC)）
FREXC_SW_E：SwitchのEthernetレイヤのFRE(XC)
FREXC_R_IP：RouterのIPレイヤのFRE(XC)
（FRE(NC)）
FRENC_PC-R_E：PC〜Router間のEthernetレイヤのFRE(NC)
FRENC_PC-PC_IP：PC〜PC間のIPレイヤのFRE(NC)
【００５７】
図１４は、登録されたSpecにおける関係性の一例を表形式で示す図である。  
登録されたSpecは、図１４に示す上下レイヤの関係性を持つものとする。  
IPレイヤ、Ethernetレイヤ、Logical Deviceレイヤ、物理レイヤにおけるSpecの関係性は下記の（１）〜（１３）の通りである。下記（１）〜（１３）のうち、（１）は経路の始点に、（１３）は経路の終点にそれぞれ対応する。
【００５８】
（１）
（IPレイヤ）、（Ethernetレイヤ）、（Logical Deviceレイヤ）：なし
（物理レイヤ）PD_PC
【００５９】
（２）
（IPレイヤ）TPE_PC_IP
（Ethernetレイヤ）TPE_PC_E
（Logical Deviceレイヤ）TPE_PC_LD
（物理レイヤ）PP_PC
【００６０】
（３）
（IPレイヤ（上位））FRENC_PC-PC_IP
（IPレイヤ（下位））FRELC_PC-R_IP
（Ethernetレイヤ（上位））FRENC_PC-R_E
（Ethernetレイヤ（下位））FRELC_PC-SW_E
（Logical Deviceレイヤ）TL_PC-SW
（物理レイヤ）PL_PC-SW
【００６１】
（４）
（IPレイヤ（上位、下位））（Ethernetレイヤ（上位））：上記（３）と同じ
（Ethernetレイヤ（下位））TPE_SW_E
（Logical Deviceレイヤ）TPE_SW_LD
（物理レイヤ）PP_SW
【００６２】
（５）
（IPレイヤ（上位、下位））（Ethernetレイヤ（上位））：上記（３）と同じ
（Ethernetレイヤ（下位））FREXC_SW_E
（Logical Deviceレイヤ）NFD_SW
（物理レイヤ）PD_SW
（６）
上記（４）と同じ
【００６３】
（７）
（IPレイヤ（上位、下位））（Ethernetレイヤ（上位））：上記（３）と同じ
（Ethernetレイヤ（下位））FRELC_SW-SW_E
（Logical Deviceレイヤ）TL_SW-SW
（物理レイヤ）PL_SW-SW
【００６４】
（８）
上記（４）と同じ
（９）
上記（５）と同じ
（１０）
上記（４）と同じ
【００６５】
（１１）
（IPレイヤ（上位、下位））（Ethernetレイヤ（上位））：上記（３）と同じ
（Ethernetレイヤ（下位））FRELC_SW-R_E
（Logical Deviceレイヤ）TL_SW-R
（物理レイヤ）PL_SW-R
【００６６】
（１２）
（IPレイヤ（上位））FRENC_PC-PC_IP（上記（３）と同じ）
（IPレイヤ（下位））TPE_R_IP
（Ethernetレイヤ）TPE_R_E
（Logical Deviceレイヤ）TPE_R_LD
（物理レイヤ）PP_R
【００６７】
（１３）
（IPレイヤ（上位））FRENC_PC-PC_IP（上記（３）と同じ）
（IPレイヤ（下位））FREXC_R_IP
（Ethernetレイヤ）：なし
（Logical Deviceレイヤ）NFD_R
（物理レイヤ）PD_R
【００６８】
図１５、図１６、図１７は、物理エンティティの登録の一例を示す図である。  
上記登録された物理レイヤのSpecを用いて、オペレータにより物理エンティティがEntity DB１２に登録される。
【００６９】
図１５では、物理レイヤのSpecを用いて登録される物理エンティティ情報の対応関係を示す。  
図１５に示した物理エンティティは図１６に示した形式で表記されるものとする。また、それぞれのエンティティ間の接続関係を相互に持つものとする。  
図１７に示すように物理エンティティが事前準備としてEntity DB１２に登録されたものとする。Specとの対応関係は図１５にならうものとする。
【００７０】
図１５に示す、利用するSpecと登録される物理エンティティとの関係、および図１６で対応する表記を下記の（ａ）〜（ｅ）に示す。  
（ａ）
（利用するSpec）PD_PC
（登録される物理エンティティ）PC1
（物理エンティティの表記）「PD_PC」Specを用いた「PC1」エンティティ
【００７１】
（ｂ）
（利用するSpec）PP_PC
（登録される物理エンティティ）PC1_P1
（物理エンティティの表記）「PP_PC」Specを用いた「PC1_P1」エンティティ
【００７２】
（ｃ）
（利用するSpec）PL_PC-SW
（登録される物理エンティティ）PC1-SW1_PL
（物理エンティティの表記）「PL_PC-SW」Specを用いた「PC1-SW1_PL」エンティティ
【００７３】
（ｄ）
（利用するSpec）PP_SW
（登録される物理エンティティ）Switch1_P1
（物理エンティティの表記）「PP_SW」Specを用いた「Switch1_P1」エンティティ
【００７４】
（ｅ）
（利用するSpec）PD_SW
（登録される物理エンティティ）Switch1
（物理エンティティの表記）「PD_SW」Specを用いた「Switch1」エンティティ
【００７５】
次に始点・終点情報の指定について説明する。図１８は、始点・終点情報の指定の一例を説明する図である。  
オペレータが、管理対象ネットワークについてEntity DB１２に格納される物理エンティティの「PC1」を経路の始点と指定し、物理エンティティの「PC2」を経路の終点と指定し、経路選択部１１は、それぞれのエンティティを始点・終点と記録する。
【００７６】
次に経路選択について説明する。  
経路選択部１１は、物理エンティティ同士の接続関係をたどり、始点から終点までひと筆書きでたどり着ける経路を選択し、選択結果として物理エンティティ（PP/PL/PD）をEntity DB１２から取得する。  
ここでは、上記の経路「PC1→Switch1→Switch2→Router→Switch4→Switch6→PC2」の順番の経路が選択されたものとする。ここでPP、PLの記載は省略する。
【００７７】
次に経路入力について説明する。図１９は、経路入力の一例を示す図である。  
経路選択部１１は、取得した経路に対応する物理エンティティ（PP/PL/PD）をエンティティ補完部１３に入力する。
【００７８】
次にSpec取得について説明する。  
エンティティ補完部１３は、入力された物理エンティティを元に、Spec DB１４から論理エンティティのSpecを下記の（１）〜（８）のように取得する。  
（１）  エンティティ補完部１３は、PPのSpecの上位レイヤとして定義されているTPEのSpecをSpec DB１４から取得する。  
具体的には、物理エンティティ「PC1_P1」はSpec「PP_PC」に基づいているため、エンティティ補完部１３は、このSpec「PP_PC」の上位に定義された「TPE_PC_LD」をSpec DB１４から取得する。同様に、エンティティ補完部１３は、Switch1/2/4/6の各PPのSpec「PP_SW」の上位である「TPE_SW_LD」と、RouterのPPのSpec「PP_R」の上位であるSpec「TPE_R_LD」とをSpec DB１４からそれぞれ取得する。
【００７９】
（２）  エンティティ補完部１３は、（１）で取得したTPE Specのさらに上位レイヤとして定義されているTPE Specがある場合、このTPE SpecもSpec DB１４から繰り返し取得する。
具体的には、エンティティ補完部１３は、（１）で取得した、Logical Deviceレイヤの上位の全てのSpecをSpec DB１４に繰り返しアクセスすることで取得する。  
取得対象は「TPE_PC_E」「TPE_PC_IP」「TPE_SW_E」「TPE_R_E」「TPE_R_IP」である。
【００８０】
（３）  エンティティ補完部１３は、PLのSpecの上位レイヤとして定義されているTLのSpecをSpec DB１４から取得する。  
具体的には、物理エンティティ「PC1-SW1_PL」はSpec「PL_PC-SW」に基づいているため、エンティティ補完部１３は、この「PL_PC-SW」Specの上位に定義された「TL_PC-SW」をSpec DB１４から取得する。同様に、エンティティ補完部１３は、Switch〜Switch間、Switch〜Router間の物理エンティティPLのSpecの上位に定義された「TL_SW-SW」「TL_SW-R」をSpec DB１４から取得する。
【００８１】
（４）  エンティティ補完部１３は、（３）で取得したTL Specの上位レイヤとして定義されているFRE(LC)のSpecをSpec DB１４から取得する。  
具体的には、エンティティ補完部１３は、（３）で取得した、Logical Deviceレイヤの上位の全てのSpecをSpec DB１４に繰り返しアクセスすることで取得する。  
取得対象は「FRELC_PC-SW_E」「FRELC_SW-SW_E」「FRELC_SW-R_E」である。
【００８２】
（５）  エンティティ補完部１３は、PDのSpecの上位レイヤとして定義されているNFDのSpecをSpec DB１４から取得する。  
具体的には、物理エンティティ「Switch1」はSpec「PD_SW」に基づいているため、エンティティ補完部１３は、このSpec「PD_SW」の上位に定義された「NFD_SW」をSpec DB１４から取得する。同様に、エンティティ補完部１３は、RouterのSpec「PD_R」の上位であるSpec「NFD_R」をSpec DB１４から取得する。  
（６）  エンティティ補完部１３は、（５）で取得したNFD Specの上位レイヤとして定義されているFRE(XC)のSpecをSpec DB１４から取得する。  
具体的には、エンティティ補完部１３は、（５）で取得したLogical Deviceレイヤの上位の全てのSpecをSpec DB１４から繰り返しアクセスすることで取得する。  
取得対象は「FREXC_SW_E」「FREXC_R_IP」である。
【００８３】
（７）  エンティティ補完部１３は、（４で）取得したFRE(LC)と（６）で取得したFRE(XC)のSpecの上位に定義されているFRE(NC)のSpecをSpec DB１４から取得する。  
具体的には、エンティティ補完部１３は、取得したSpecのうち、EthernetレイヤのSpecである「FRELC_PC-SW_E」「FRELC_SW-SW_E」「FREXC_SW_E」を組み合わせた「FRENC_PC-R_E」をSpec DB１４から取得する。  
（８）  エンティティ補完部１３は、（７）で取得したFRE(NC)のさらに上位レイヤとして定義されているFRE(LC)がある場合、このFRE(LC) SpecをSpec DB１４から取得し、さらに上記（４）を実行する。FRE(NC)の上位に定義されているFRE(LC)がなくなったら終了する。
【００８４】
具体的には、エンティティ補完部１３は、（７）で取得したSpec「FRENC_PC-R_E」の上位に定義された「FRELC_PC-R_IP」をSpec DB１４から取得する。  
さらに、エンティティ補完部１３は、取得した「FRELC_PC-R_IP」と（６）で取得した「FREXC_R_IP」とを組み合わせて「FRENC_PC-PC_IP」をSpec DB１４から取得する。  
以上により、上位に定義されたSpecが存在しないため、Spec取得にかかる処理が終了する。
【００８５】
次に、エンティティ生成について説明する。  
エンティティ補完部１３は、上記取得したSpec群に対して、論理レイヤのエンティティを下位のレイヤから順に下記の（１）〜（７）のように生成してEntity DB１２へ格納する。  
（１）  エンティティ補完部１３は、Logical DeviceレイヤのTPEを生成する。この生成の際には、エンティティ補完部１３は、物理エンティティPPへの関連性を保持する。
【００８６】
図２０、図２１は、Logical DeviceレイヤのTPEの生成の一例を示す図である。具体的には、エンティティ補完部１３は、取得した、Logical DeviceレイヤのSpecに対し、図２０に示すようにTPEエンティティを生成する。生成の一部は図示を省略する。各TPEエンティティは、図２０の最下行に示すPPエンティティへの関連性を持つ。最終的に、エンティティ補完部１３は、図２１に示す１２個のTPEエンティティを生成する。
【００８７】
図２０に示す、「利用するSpec」、「生成するLogical DeviceレイヤのTPEエンティティ」、「関連性を持つ物理エンティティ」の対応の例は下記の（ａ）〜（ｄ）のとおりである。
（ａ）
（利用するSpec）TPE_PC_LD
（生成するLogical DeviceレイヤのTPEエンティティ）PC1_P1_LD_TPE
（関連性を持つ物理エンティティ）PC1_P1
【００８８】
（ｂ）
（利用するSpec）TPE_SW_LD
（生成するLogical DeviceレイヤのTPEエンティティ）Switch1_P1_LD_TPE
（関連性を持つ物理エンティティ）Switch1_P1
【００８９】
（ｃ）
（利用するSpec）TPE_SW_LD
（生成するLogical DeviceレイヤのTPEエンティティ）Switch1_P2_LD_TPE
（関連性を持つ物理エンティティ）Switch1_P2
【００９０】
（ｄ）
（利用するSpec）TPE_R_LD
（生成するLogical DeviceレイヤのTPEエンティティ）Router_P1_LD_TPE
（関連性を持つ物理エンティティ）Router_P1
【００９１】
図２１中のａ、ｂ、ｃ、ｄ、ｅ、ｆの意味は下記のとおりである。  
（ａ）「TPE_PC_LD」Specを用いた「PC1_P1_LD_TPE」エンティティ
（ｂ）「PC1_P1_LD_TPE」エンティティは「PC1_P1」エンティティへの関連性を持つ
（ｃ）「TPE_SW_LD」Specを用いた「Swtich1_P1_LD_TPE」エンティティ
（ｄ）「TPE_SW_LD」Specを用いた「Swtich1_P2_LD_TPE」エンティティ
（ｅ）「TPE_R_LD」Specを用いた「Router_P1_LD_TPE」エンティティ
（ｆ）本処理プロセスにより生成されるTPEエンティティを示す
【００９２】
（２）  エンティティ補完部１３は、Logical DeviceレイヤのTLを生成する。この生成の際には、エンティティ補完部１３は、Logical DeviceレイヤのTPEへの関連性を保持する。  
図２２、図２３は、Logical DeviceレイヤのTLの生成の一例を示す図である。具体的には、エンティティ補完部１３は、取得したLogical DeviceレイヤのSpecに対し、図２２に示すようにTLエンティティを生成する。生成の一部は図示を省略する。各TLエンティティは、図２２の最下行に示す、Logical DeviceレイヤのTPEエンティティへの関連性を持つ。最終的に、エンティティ補完部１３は、図２３に示す６個のTLエンティティを生成する。
【００９３】
図２３に示す、「利用するSpec」、「生成するLogical DeviceレイヤのTLエンティティ」、「関連性を持つLogical DeviceレイヤのTPEエンティティ」の対応の例は下記の（ａ）〜（ｃ）のとおりである。  
（ａ）
（利用するSpec）TL_PC-SW
（生成するLogical DeviceレイヤのTLエンティティ）PC1-Switch1_TL
（関連性を持つLogical DeviceレイヤのTPEエンティティ）PC1_P1_LD_TPE、Switch1_P1_LD_TPE
【００９４】
（ｂ）
（利用するSpec）TL_SW-SW
（生成するLogical DeviceレイヤのTLエンティティ）Switch1-Switch2_TL
（関連性を持つLogical DeviceレイヤのTPEエンティティ）Switch1_P2_LD_TPE、Switch2_P1_LD_TPE
【００９５】
（ｃ）
（利用するSpec）TL_SW-R
（生成するLogical DeviceレイヤのTLエンティティ）Switch2-Router_TL
（関連性を持つLogical DeviceレイヤのTPEエンティティ）Switch2_P2_LD_TPE、Router_P1_LD_TPE
【００９６】
図２３中のａ、ｂ、ｃ、ｄ、ｅの意味は下記のとおりである。  
（ａ）「TPE_PC-SW」Specを用いた「PC1-Switch1_TL」エンティティ
（ｂ）「PC1-Switch1_TL」エンティティは「PC1_P1_LD_TPE」「Switch1_P1_LD_TPE」エンティティへの関連性を持つ
（ｃ）「TL_SW-SW」Specを用いた「Switch1-Switch2_TL」エンティティ
（ｄ）「TL_SW-R」Specを用いた「Switch2-Router_TL」エンティティ
（ｅ）本処理プロセスにより生成されるTLエンティティを示す
【００９７】
（３）  エンティティ補完部１３は、Logical DeviceレイヤのNFDを生成する。この生成の際には、エンティティ補完部１３は、Logical DeviceレイヤのTPEへの関連性を保持する。  
図２４、図２５は、Logical DeviceレイヤのNFDの生成の一例を示す図である。具体的には、エンティティ補完部１３は、取得したLogical DeviceレイヤのSpecに対し、図２４に示すようにNFDエンティティを生成する。生成の一部は図示を省略する。各NFDエンティティは、図２４の最下行に示す、Logical DeviceレイヤのTPEエンティティへの関連性を持つ。最終的に、エンティティ補完部１３は、図２５に示す５個のNFDエンティティを生成する。
【００９８】
図２４に示す、「利用するSpec」、「生成するLogical DeviceレイヤのNFDエンティティ」、「関連性を持つLogical DeviceレイヤのTPEエンティティ」の対応の例は下記の（ａ）、（ｂ）、（ｃ）のとおりである。  
（ａ）
（利用するSpec）NFD_SW
（生成するLogical DeviceレイヤのNFDエンティティ）Switch1_NFD
（関連性を持つLogical DeviceレイヤのTPEエンティティ）Switch1_P1_LD_TPE、Switch1_P2_LD_TPE
【００９９】
（ｂ）
（利用するSpec）NFD_SW
（生成するLogical DeviceレイヤのNFDエンティティ）Switch2_NFD
（関連性を持つLogical DeviceレイヤのTPEエンティティ）Switch2_P1_LD_TPE、Switch2_P2_LD_TPE
【０１００】
（ｃ）
（利用するSpec）NFD_R
（生成するLogical DeviceレイヤのNFDエンティティ）Router_NFD
（関連性を持つLogical DeviceレイヤのTPEエンティティ）Router_P1_LD_TPE、Router_P2_LD_TPE
【０１０１】
図２５中のａ、ｂ、ｃ、ｄ、ｅの意味は下記のとおりである。  
（ａ）「NFD_SW」Specを用いた「Switch1_NFD」エンティティ
（ｂ）「Switch1_NFD」エンティティは「Switch1_P1_LD_TPE」「Switch1_P2_LD_TPE」エンティティへの関連性を持つ
（ｃ）「NFD_SW」Specを用いた「Switch2_NFD」エンティティ
（ｄ）「NFD_R」Specを用いた「Router_NFD」エンティティ
（ｅ）本処理プロセスにより生成されるNFDエンティティを示す
【０１０２】
（４）  エンティティ補完部１３は、論理レイヤのTPEを生成する。この生成の際には、下位の論理レイヤのTPEへの関連性を保持する。  
図２６、図２７は、論理レイヤのTPEの生成の一例を示す図である。具体的には、エンティティ補完部１３は、Logical Deviceレイヤの上位のEthernetレイヤのSpecに対し、図２６に示すTPEエンティティを生成する。生成の一部は図示を省略する。各TPEエンティティは、図２６の最下行に示す、下位のLogical DeviceレイヤのTPEエンティティへの関連性を持つ。最終的に、エンティティ補完部１３は、図２７に示す１２個のTPEエンティティを生成する。
【０１０３】
図２６に示す、「利用するSpec」、「生成するEthernetレイヤのTPEエンティティ」、「関連性を持つLogical DeviceレイヤのTPEエンティティ」の対応の例は下記の（ａ）、（ｂ）、（ｃ）、（ｄ）のとおりである。  
（ａ）
（利用するSpec）PC1_P1_E_TPE
（生成するEthernetレイヤのTPEエンティティ）PC1_P1_E_TPE
（関連性を持つLogical DeviceレイヤのTPEエンティティ）PC1_P1_LD_TPE
【０１０４】
（ｂ）
（利用するSpec）TPE_SW_E
（生成するEthernetレイヤのTPEエンティティ）Switch1_P1_E_TPE
（関連性を持つLogical DeviceレイヤのTPEエンティティ）Switch1_P1_LD_TPE
【０１０５】
（ｃ）
（利用するSpec）TPE_SW_E
（生成するEthernetレイヤのTPEエンティティ）Switch1_P2_E_TPE
（関連性を持つLogical DeviceレイヤのTPEエンティティ）Switch1_P2_LD_TPE
【０１０６】
（ｄ）
（利用するSpec）TPE_R_E
（生成するEthernetレイヤのTPEエンティティ）Router_P1_E_TPE
（関連性を持つLogical DeviceレイヤのTPEエンティティ）Router_P1_LD_TPE
【０１０７】
図２７中のａ、ｂ、ｃ、ｄ、ｅ、ｆの意味は下記のとおりである。  
（ａ）「TPE_PC_E」Specを用いた「PC1_P1_E_TPE」エンティティ
（ｂ）「PC1_P1_E_TPE」エンティティは「PC1_P1_LD_TPE」エンティティへの関連性を持つ
（ｃ）「TPE_SW_E」Specを用いた「Swtich1_P1_E_TPE」エンティティ
（ｄ）「TPE_SW_E」Specを用いた「Swtich1_P2_E_TPE」エンティティ
（ｅ）「TPE_R_E」Specを用いた「Router_P1_E_TPE」エンティティ
（ｆ）本処理プロセスにより生成されるTPEエンティティを示す
【０１０８】
（５）  エンティティ補完部１３は、論理レイヤのFRE(LC)を生成する。この生成の際には、エンティティ補完部１３は、該当レイヤのTPEへの関連性を保持する。  
図２８、図２９は、論理レイヤのFRE(LC)の生成の一例を示す図である。具体的には、エンティティ補完部１３は、Logical Deviceレイヤの上位のEthernetレイヤのSpecに対し、図２８に示すFRE(LC)エンティティを生成する。生成の一部は省略する。各FRE(LC)エンティティは、図２８の最下行に示すEthernetレイヤのTPEエンティティへの関連性を持つ。最終的に、エンティティ補完部１３は、図２９に示す６個のFRE(LC)エンティティを生成する。
【０１０９】
図２８に示す、「利用するSpec」、「生成するEthernetレイヤのFRE(LC)エンティティ」、「関連性を持つEthernetレイヤのTPEエンティティ」の対応の例は下記の（ａ）、（ｂ）、（ｃ）のとおりである。  
（ａ）
（利用するSpec）FRELC_PC-SW_E
（生成するEthernetレイヤのFRE(LC)エンティティ）PC1-Switch1_E_FRELC
（関連性を持つEthernetレイヤのTPEエンティティ）PC1_P1_E_TPE、Switch1_P1_E_TPE
【０１１０】
（ｂ）
（利用するSpec）FRELC_SW-SW_E
（生成するEthernetレイヤのFRE(LC)エンティティ）Switch1-Switch2_E_FRELC
（関連性を持つEthernetレイヤのTPEエンティティ）Switch1_P2_E_TPE、Switch2_P1_E_TPE
【０１１１】
（ｃ）
（利用するSpec）FRELC_SW-R_E
（生成するEthernetレイヤのFRE(LC)エンティティ）Switch2-Router_E_FRELC
（関連性を持つEthernetレイヤのTPEエンティティ）Switch2_P2_E_TPE、Router_P1_E_TPE
【０１１２】
図２９中のａ、ｂ、ｃ、ｄ、ｅの意味は下記のとおりである。  
（ａ）「FRELC_PC-SW_E」Specを用いた「PC1-Switch1_E_FRELC」エンティティ
（ｂ）「PC1-Switch1_E_FRELC」エンティティは「PC1_P1_E_TPE」「Switch1_P1_E_TPE」エンティティへの関連性を持つ
（ｃ）「FRELC_SW-SW_E」Specを用いた「Switch1-Switch2_E_FRELC」エンティティ
（ｄ）「FRELC_SW-R_E」Specを用いた「Switch2-Router_E_FRELC」エンティティ
（ｅ）本処理プロセスにより生成されるFRE(LC)エンティティを示す
【０１１３】
（６）  エンティティ補完部１３は、論理レイヤのFRE(XC)を生成する。この生成の際には、エンティティ補完部１３は、該当レイヤのTPEへの関連性を保持する。  
図３０、図３１は、論理レイヤのFRE(XC)の生成の一例を示す図である。具体的には、エンティティ補完部１３は、Logical Deviceレイヤの上位のEthernetレイヤのSpecに対し、図３０に示すFRE(XC)エンティティを生成する。生成の一部は省略する。各FRE(XC)エンティティは、図３０の最下行に示すEthernetレイヤのTPEエンティティへの関連性を持つ。最終的に、エンティティ補完部１３は、図３１に示す４個のFRE(XC)エンティティを生成する。
【０１１４】
図３０に示す、「利用するSpec」、「生成するEthernetレイヤのFRE(XC)エンティティ」「関連性を持つEthernetレイヤのTPEエンティティ」の対応の例は下記の（ａ）、（ｂ）、（ｃ）のとおりである。  
（ａ）
（利用するSpec）FREXC_SW_E
（生成するEthernetレイヤのFRE(XC)エンティティ）Switch1_E_FREXC
（関連性を持つEthernetレイヤのTPEエンティティ）Switch1_P1_E_TPE、Switch1_P2_E_TPE
【０１１５】
（ｂ）
（利用するSpec）FREXC_SW_E
（生成するEthernetレイヤのFRE(XC)エンティティ）Switch2_E_FREXC
（関連性を持つEthernetレイヤのTPEエンティティ）Switch2_P1_E_TPE、Switch2_P2_E_TPE
【０１１６】
（ｃ）
（利用するSpec）FREXC_SW_E
（生成するEthernetレイヤのFRE(XC)エンティティ）Switch6_E_FREXC
（関連性を持つEthernetレイヤのTPEエンティティ）Switch6_P1_E_TPE、Switch6_P2_E_TPE
【０１１７】
図３１中のａ、ｂ、ｃ、ｄ、ｅの意味は下記のとおりである。  
（ａ）「FREXC_SW_E」Specを用いた「Switch1_E_FREXC」エンティティ
（ｃ）「Switch1_E_FREXC」エンティティは「Switch1_P1_E_TPE」「Switch1_P2_E_TPE」エンティティへの関連性を持つ
（ｃ）「FREXC_SW_E」Specを用いた「Switch2_E_FREXC」エンティティ
（ｄ）「FREXC_SW_E」Specを用いた「Switch6_E_FREXC」エンティティ
（ｅ）本処理プロセスにより生成されるFRE(XC)エンティティを示す
【０１１８】
（７）  エンティティ補完部１３は、論理レイヤのFRE(NC)を生成する。この生成の際には、エンティティ補完部１３は、該当レイヤのTPEへの関連性を保持する。  
図３２、図３３は、論理レイヤのFRE(NC)の生成の一例を示す図である。具体的には、エンティティ補完部１３は、Logical Deviceレイヤの上位のEthernetレイヤのSpecに対し、図３２に示すFRE(NC)エンティティを生成する。各FRE(NC)エンティティは、図３２の最下行に示すEthernetレイヤのTPEエンティティへの関連性を持つ。最終的に、エンティティ補完部１３は、図３３に示す２個のFRE(NC)エンティティを生成する。
【０１１９】
図３２に示す、「利用するSpec」、「生成するEthernetレイヤのFRE(NC)エンティティ」、「関連性を持つEthernetレイヤのTPEエンティティ」の対応の例は下記の（ａ）、（ｂ）のとおりである。  
（ａ）
（利用するSpec）FRENC_PC-R_E
（生成するEthernetレイヤのFRE(NC)エンティティ）PC1-Router_E_FRENC
（関連性を持つEthernetレイヤのTPEエンティティ）PC1_P1_E_TPE、Router_P1_E_TPE
【０１２０】
（ｂ）
（利用するSpec）FRENC_PC-R_E
（生成するEthernetレイヤのFRE(NC)エンティティ）Router-PC2_E_FRENC
（関連性を持つEthernetレイヤのTPEエンティティ）Router_P2_E_TPE、PC2_P1_E_TPE
【０１２１】
図３３中のａ、ｂ、ｃ、ｄの意味は下記のとおりである。  
（ａ）「FRENC_PC-R_E」Specを用いた「PC1-Router_E_FRENC」エンティティ
（ｂ）「PC1-Router_E_FRENC」エンティティは「PC1_P1_E_TPE」「Router_P1_E_TPE」エンティティへの関連性を持つ
（ｃ）「FRENC_PC-R_E」Specを用いた「Router-PC2_E_FRENC」エンティティ
（ｄ）本処理プロセスにより生成されるFRE(NC)エンティティを示す
【０１２２】
次に、上記（４）の２回目について説明する。ここではエンティティ補完部１３は、論理レイヤのTPEを生成する。この生成の際には、エンティティ補完部１３は、下位の論理レイヤのTPEへの関連性を保持する。  
図３４、図３５は、論理レイヤのTPEの生成の一例を示す図である。具体的には、エンティティ補完部１３は、Ethernetレイヤの上位のIPレイヤのSpecに対し、図３４に示すTPEエンティティを生成する。各TPEエンティティは、図３４の最下行に示すEthernetレイヤのTPEエンティティへの関連性を持つ。最終的に、エンティティ補完部１３は、図３５に示す４個のTPEエンティティを生成する。
【０１２３】
図３４に示す、「利用するSpec」、「生成するIPレイヤのTPEエンティティ」、「関連性を持つEthernetレイヤのTPEエンティティ」の対応の例は下記の（ａ）、（ｂ）、（ｃ）、（ｄ）のとおりである。  
（ａ）
（利用するSpec）TPE_PC_IP
（生成するIPレイヤのTPEエンティティ）PC1_P1_IP_TPE
（関連性を持つEthernetレイヤのTPEエンティティ）PC1_P1_E_TPE
【０１２４】
（ｂ）
（利用するSpec）TPE_R_IP
（生成するIPレイヤのTPEエンティティ）Router_P1_IP_TPE
（関連性を持つEthernetレイヤのTPEエンティティ）Router_P1_E_TPE
【０１２５】
（ｃ）
（利用するSpec）TPE_R_IP
（生成するIPレイヤのTPEエンティティ）Router_P2_IP_TPE
（関連性を持つEthernetレイヤのTPEエンティティ）Router_P2_E_TPE
【０１２６】
（ｄ）
（利用するSpec）TPE_PC_IP
（生成するIPレイヤのTPEエンティティ）PC2_P1_IP_TPE
（関連性を持つEthernetレイヤのTPEエンティティ）PC2_P1_E_TPE
【０１２７】
図３５中のａ、ｂ、ｃ、ｄの意味は下記のとおりである。  
（ａ）「TPE_PC_IP」Specを用いた「PC1_P1_IP_TPE」エンティティ
（ｂ）「PC1_P1_IP_TPE」エンティティは「PC1_P1_E_TPE」エンティティへの関連性を持つ
（ｃ）「TPE_R_IP」Specを用いた「Router_P1_IP_TPE」エンティティ
（ｄ）本処理プロセスにより生成されるTPEエンティティを示す
【０１２８】
次に、上記（５）の２回目について説明する。ここではエンティティ補完部１３は、論理レイヤのFRE(LC)を生成する。この生成の際には、エンティティ補完部１３は、該当レイヤのTPEへの関連性を保持する。  
図３６、図３７は、論理レイヤのFRE(LC)の生成の一例を示す図である。具体的には、エンティティ補完部１３は、Ethernetレイヤの上位のIPレイヤのSpecに対し、図３６に示すFRE(LC)エンティティを生成する。各TPEエンティティは、図３６の最下行に示すIPレイヤのTPEエンティティへの関連性を持つ。最終的に、エンティティ補完部１３は、図３７に示す２個のFRE(LC)エンティティを生成する。
【０１２９】
図３６に示す、「利用するSpec」、「生成するIPレイヤのFRE(LC)エンティティ」、「関連性を持つIPレイヤのTPEエンティティ」の対応の例は下記の（ａ）、（ｂ）のとおりである。  
（ａ）
（利用するSpec）FRELC_PC-R_IP
（生成するIPレイヤのFRE(LC)エンティティ）PC1-Router_IP_FRELC
（関連性を持つIPレイヤのTPEエンティティ）PC1_P1_IP_TPE、Router_P1_IP_TPE
【０１３０】
（ｂ）
（利用するSpec）FRELC_PC-R_IP
（生成するIPレイヤのFRE(LC)エンティティ）Router-PC2_IP_FRELC
（関連性を持つIPレイヤのTPEエンティティ）Router_P2_IP_TPE、PC2_P1_IP_TPE
【０１３１】
図３７中のａ、ｂ、ｃ、ｄの意味は下記のとおりである。  
（ａ）「FRELC_PC-R_IP」Specを用いた「PC1-Router_IP_FRELC」エンティティ
（ｂ）「PC1-Router_IP_FRELC」エンティティは「PC1_P1_IP_TPE」「Router_P1_IP_TPE」エンティティへの関連性を持つ
（ｃ）「FRELC_PC-R_IP」Specを用いた「Router-PC2_IP_FRELC」エンティティ
（ｄ）本処理プロセスにより生成されるFRE(LC)エンティティを示す
【０１３２】
次に、上記（６）の２回目について説明する。ここではエンティティ補完部１３は、論理レイヤのFRE(XC)を生成する。この生成の際には、エンティティ補完部１３は、該当レイヤのTPEへの関連性を保持する。  
図３８、図３９は、論理レイヤのFRE(XC)の生成の一例を示す図である。具体的には、エンティティ補完部１３は、Ethernetレイヤの上位のIPレイヤのSpecに対し、図３８に示すFRE(XC)エンティティを生成する。各TPEエンティティは、図３８の最下行に示すIPレイヤのTPEエンティティへの関連性を持つ。最終的に、エンティティ補完部１３は、図３９に示す１個のFRE(XC)エンティティを生成する。
【０１３３】
図３８に示す、「利用するSpec」、「生成するIPレイヤのFRE(XC)エンティティ」、「関連性を持つIPレイヤのTPEエンティティ」の対応の例は下記の（ａ）のとおりである。  
（ａ）
（利用するSpec）FREXC_R_IP
（生成するIPレイヤのFRE(XC)エンティティ）Router_IP_FREXC
（関連性を持つIPレイヤのTPEエンティティ）Router_P1_IP_TPE、Router_P2_IP_TPE
【０１３４】
図３９中のａ、ｂ、ｃの意味は下記のとおりである。  
（ａ）「FREXC_R_IP」Specを用いた「Router_IP_FREXC」エンティティ
（ｂ）「Router_IP_FREXC」エンティティは「Router_P1_IP_TPE」「Router_P2_IP_TPE」エンティティへの関連性を持つ
（ｃ）本処理プロセスにより生成されるFRE(XC)エンティティを示す
【０１３５】
次に、上記（７）の２回目について説明する。ここではエンティティ補完部１３は、論理レイヤのFRE(NC)を生成する。この生成の際には、エンティティ補完部１３は、該当レイヤのTPEへの関連性を保持する。  
図４０、図４１は、論理レイヤのFRE(NC)の生成の一例を示す図である。具体的には、エンティティ補完部１３は、Ethernetレイヤの上位のIPレイヤのSpecに対し、図４０に示すFRE(NC)エンティティを生成する。各TPEエンティティは、図４０の最下行に示すIPレイヤのTPEエンティティへの関連性を持つ。最終的に、エンティティ補完部１３は、図４１に示す１個のFRE(NC)エンティティを生成する。
【０１３６】
図４０に示す、「利用するSpec」、「生成するIPレイヤのFRE(NC)エンティティ」、「関連性を持つIPレイヤのTPEエンティティ」の対応の例は下記の（ａ）のとおりである。  
（ａ）
（利用するSpec）FRENC_PC-PC_IP
（生成するIPレイヤのFRE(NC)エンティティ）PC1-PC2_IP_FRENC
（関連性を持つIPレイヤのTPEエンティティ）PC1_P1_IP_TPE、PC2_P1_IP_TPE
【０１３７】
図４１中のａ、ｂ、ｃの意味は下記のとおりである。  
（ａ）「FRENC_PC-PC_IP」Specを用いた「PC1-PC2_IP_FRENC」エンティティ
（ｂ）「PC1-PC2_IP_FRENC」エンティティは「PC1_P1_IP_TPE」「PC2_P1_IP_TPE」エンティティへの関連性を持つ
（ｃ）本処理プロセスにより生成されるFRE(NC)エンティティを示す
上記（７）の２回目を実施後、IPレイヤのさらに上位のレイヤが存在しないことから、エンティティ補完部１３は、エンティティ補完（生成）処理を終了する。
【０１３８】
次に、エンティティ補完処理を含む、ネットワーク管理システム１０による各種処理の実施後のネットワークの状態について説明する。  
図４２は、ネットワーク管理システムによる各種処理の実施後のネットワークの状態の一例を示す図である。  
図４２に示すように、ネットワーク管理システムによる各種処理の実施後、Entity DB１２内に登録されたエンティティは、合計９０個のエンティティである。
【０１３９】
そのうち、図４２中のａに示す、物理情報としてEntity DB１２内に登録された「PD：９個、PP：２０個、PL：５個」でなる合計３４個のエンティティはオペレータにより生成され、図４２中のｂに示す「TL：６個、NFD：６個、TPE：２８個、FRE(NC)：３個、FRE(LC)：８個、FRE(XC)：５個」でなる合計５６個のエンティティはエンティティ補完部１３によって生成される。
【０１４０】
以上説明したように、本発明の一実施形態に係るネットワーク管理システムでは、エンティティに基づいて、ネットワークの所定の始点と終点との間の物理レイヤの経路を選択する経路選択処理を行ない、情報オブジェクトの仕様に基づいて、選択された物理レイヤの経路に対応する、論理レイヤのエンティティを生成するので、論理レイヤのエンティティの設定にかかる負荷を軽減することができる。
【０１４１】
また、物理レイヤおよび最下層の論理レイヤとの間の関係性、および前記最下層を含む複数の層の論理レイヤの間の関係性がそれぞれ定義され、この関係性に基づいて、経路における物理レイヤに対応する各層の論理レイヤ仕様を取得するので、エンティティの生成対象である各層の論理レイヤの仕様を適切に取得することができる。
【０１４２】
また、物理レイヤの経路に対応する論理レイヤのエンティティを生成するときに、同じ層又は１つ下位の層のレイヤにおけるエンティティとの関係性を保持し、この関係性に基づいて、物理レイヤの経路に対応する、各層の論理レイヤのエンティティを生成するので、物理レイヤに対応する、各層の論理レイヤのエンティティを適切に生成することができる。
【０１４３】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。
【０１４４】
また、各実施形態に記載した手法は、計算機（コンピュータ）に実行させることができるプログラム（ソフトウエア手段）として、例えば磁気ディスク（フロッピー（登録商標）ディスク、ハードディスク等）、光ディスク（ＣＤ−ＲＯＭ、ＤＶＤ、ＭＯ等）、半導体メモリ（ＲＯＭ、ＲＡＭ、フラッシュメモリ等）等の記録媒体に格納し、また通信媒体により伝送して頒布することもできる。なお、媒体側に格納されるプログラムには、計算機に実行させるソフトウエア手段（実行プログラムのみならずテーブル、データ構造も含む）を計算機内に構成させる設定プログラムをも含む。本装置を実現する計算機は、記録媒体に記録されたプログラムを読み込み、また場合により設定プログラムによりソフトウエア手段を構築し、このソフトウエア手段によって動作が制御されることにより上述した処理を実行する。なお、本明細書でいう記録媒体は、頒布用に限らず、計算機内部あるいはネットワークを介して接続される機器に設けられた磁気ディスク、半導体メモリ等の記憶媒体を含むものである。
【符号の説明】
【０１４５】
１０…ネットワーク管理システム、１１…経路選択部、１２…Entity DB、１３…エンティティ補完部、１４…Spec DB）。
【図１】
2020137059.tif 000003
【図２】
2020137059.tif 000004
【図３】
2020137059.tif 000005
【図４】
2020137059.tif 000006
【図５】
2020137059.tif 000007
【図６】
2020137059.tif 000008
【図７】
2020137059.tif 000009
【図８】
2020137059.tif 000010
【図９】
2020137059.tif 000011
【図１０】
2020137059.tif 000012
【図１１】
2020137059.tif 000013
【図１２】
2020137059.tif 000014
【図１３】
2020137059.tif 000015
【図１４】
2020137059.tif 000016
【図１５】
2020137059.tif 000017
【図１６】
2020137059.tif 000018
【図１７】
2020137059.tif 000019
【図１８】
2020137059.tif 000020
【図１９】
2020137059.tif 000021
【図２０】
2020137059.tif 000022
【図２１】
2020137059.tif 000023
【図２２】
2020137059.tif 000024
【図２３】
2020137059.tif 000025
【図２４】
2020137059.tif 000026
【図２５】
2020137059.tif 000027
【図２６】
2020137059.tif 000028
【図２７】
2020137059.tif 000029
【図２８】
2020137059.tif 000030
【図２９】
2020137059.tif 000031
【図３０】
2020137059.tif 000032
【図３１】
2020137059.tif 000033
【図３２】
2020137059.tif 000034
【図３３】
2020137059.tif 000035
【図３４】
2020137059.tif 000036
【図３５】
2020137059.tif 000037
【図３６】
2020137059.tif 000038
【図３７】
2020137059.tif 000039
【図３８】
2020137059.tif 000040
【図３９】
2020137059.tif 000041
【図４０】
2020137059.tif 000042
【図４１】
2020137059.tif 000043
【図４２】
2020137059.tif 000044